(57)【特許請求の範囲】
【請求項１】
丁合い区間（３）に印刷紙葉をまたぐように供給するための、丁合い区間（３）を形成する給紙装置が、鞍形の載置部材を備えた搬送路（２）に沿って配置され、丁合い区間（３）が載置部材に沿って駆動手段（６）を備え、この駆動手段が給紙装置と周期的に協働し、載置された印刷紙葉を規則的な間隔をおいて、搬送路（２）の丁合い区間（３）に接続する綴じ区間（７）に連続的に搬送し、綴じ区間（７）が折り目に綴じ針（１６）を貫通させる綴じステーション（１０）の綴じ装置（９）によって形成されている、折り目をつけた印刷紙葉によって形成された定期刊行物、小冊子等を製作するための丁合い綴じ機において、
綴じ装置（９）に周期的に連結されて駆動される他の綴じステーション（２０）の綴じ装置（１９）が綴じ区間（７）に沿って設けられており、それぞれ綴じステーションに付設された少なくとも２個またはｎ個の綴じ装置が、綴じ区間（７）に沿って配置され、かつ搬送路または丁合い区間および綴じ区間で印刷紙葉または印刷製品の搬送運動の１／２周期またはｎ分の１の周期で駆動されることを特徴とする丁合い綴じ機。
【請求項２】
綴じステーションの綴じ装置が綴じ区間に沿って往復駆動され、綴じ工程の間印刷製品の搬送方向と同じ方向に移動することを特徴とする請求項１記載の丁合い綴じ機。
【請求項３】
綴じステーションの数が印刷製品グループＡ，Ａ′の印刷製品（５）の数に等しく、綴じステーションがそれぞれ印刷製品グループの印刷製品（５）に分配されて付設されていることを特徴とする請求項１記載の丁合い綴じ機
【請求項４】
綴じ装置（９，１９）が上流において到達する印刷製品（５）の順序でこの印刷製品に付設されていることを特徴とする請求項３記載の丁合い綴じ機。
【請求項５】
綴じステーション（１０，２０）が少なくとも、連続する二つの印刷製品（８）間の間隔をおいて並べて綴じ区間（７）に配置されていることを特徴とする請求項３または４記載の丁合い綴じ機。
【請求項６】
複数の綴じ装置（９，１９）の綴じ工程が位相をずらして制御されることを特徴とする請求項１〜５のいずれか一つに記載の丁合い綴じ機。
【請求項７】
綴じ装置（９，１９）が綴じ区間（７）に沿って反対方向に駆動されることを特徴とする請求項６記載の丁合い綴じ機。
【請求項８】
綴じ装置（９，１９）がクランク駆動装置（１３，１７）に連結されていることを特徴とする請求項５または６記載の丁合い綴じ機。
【請求項９】
綴じ装置（９，１９）が制御カムによって形成された制御装置に駆動連結されていることを特徴とする請求項６または７記載の丁合い綴じ機。
【発明の詳細な説明】
【０００１】
【発明の属する技術分野】
本発明は、丁合い区間に印刷紙葉をまたぐように供給するための、丁合い区間を形成する給紙装置が、鞍形の載置部材を備えた搬送路に沿って配置され、丁合い区間が載置部材に沿って駆動手段を備え、この駆動手段が給紙装置と周期的に協働し、載置された印刷紙葉を規則的な間隔をおいて、搬送路の丁合い区間に接続する綴じ区間に連続的に搬送し、綴じ区間が折り目に綴じ針を貫通させる綴じステーションの綴じ装置によって形成されている、折り目をつけた印刷紙葉によって形成された定期刊行物、小冊子等を製作するための丁合い綴じ機に関する。
【０００２】
【従来の技術】
この種の丁合い綴じ機の場合には、印刷紙葉を綴じるときに印刷紙葉が搬送路上に短時間停止させられる。他の丁合い綴じ機の場合には、綴じられる印刷紙葉が綴じ時間にわたって一緒に移動する綴じキャリッジによって折り目で一体化される（スイス特許第３３７１７７号および関連する技術水準参照）。後者の丁合い綴じ機は１時間に約１８０００部の製造能力を達成し、それによって丁合い綴じ機の機械的な負荷限界に達する。
【０００３】
ドイツ連邦共和国特許第３６１６５６６号明細書には、複数の搬送路が回転するドラムの周囲に配置されている丁合い綴じ機が開示されている。このドラムに沿って印刷紙葉が搬送路の丁合い区間に集められ、その後の綴じ区間に搬送される。綴じはドラムが回転し、印刷紙葉が搬送路で停止しているときに行われる。  この種の丁合い綴じ機は上述の伝統的な丁合い綴じ機に対して２倍の製造能力を有する。この丁合い綴じ機は価格が数倍であり、部数が多いときには経済的に使用可能である。しかし、少ない部数の注文は採算がとれず、また高い運転コストは印刷製品の販売価格を非常に高めることになる。
【０００４】
【発明が解決しようとする課題】
そこで、本発明の課題は、停止時間と部数を考慮して印刷製品の加工を経済的になるように改善することができる、冒頭に述べた種類の丁合い綴じ機を提供することである。
【０００５】
【課題を解決するための手段】
この課題は本発明により、綴じ装置に周期的に連結されて駆動される綴じステーションの他の綴じ装置が綴じ区間に沿って設けられていることによって解決される。
それによって、例えば、駆動のために使用されるクランク装置の円軌道を、従来のクランクの円軌道と比べて２倍にすることによって、綴じ装置を往復運動させる回転運動と、今まで回転運動によって発生していた遠心力とを、出力に悪影響を与えることなく低減することができ、綴じ区間に沿った綴じ装置の往復運動または回転運動の速度を高めることによって、丁合い綴じ機の出力を増大させることができる。
【０００６】
【発明の実施の形態】
続いて、図を参照して、二つの実施の形態に基づいて本発明を説明する。明細書に述べていないすべての詳細については図を参照されたし。
図１は丁合い区間３の終端部における丁合い綴じ機１の搬送路２を示している。この丁合い区間には綴じ区間７が接続している。搬送路２は鞍形の載置部材として形成されている。丁合い区間３の範囲においてこの載置部材上で、搬送方向Ｆに並べて配置された給紙装置（図示していない）によって、印刷紙葉がまたがるように重ねられて印刷製品を形成し、そして駆動手段６または連行部材を備えた搬送装置４によって、丁合い区間３に接続する綴じ区間７に供給される。搬送路に沿って作用する搬送装置４は、無端の循環する引張り機構からなっている。この引張り機構には規則的な間隔をおいて駆動手段６または連行部材が固定されている。丁合い区間３上で開いて重ねられた印刷紙葉によって形成された印刷製品５は、その後側縁部に当接する駆動手段６によって捕らえられて綴じのために案内される。印刷紙葉の綴じと丁合いは、搬送装置４が連続循環しながら行われる。すなわち、綴じ区間７での綴じ工程の間、定置された綴じステーション１０の綴じ装置９は印刷製品５を同じ速度でまたはほぼ同じ速度で追う。そのために、綴じ装置９は綴じキャリッジ１１に固定されている。この綴じキャリッジは綴じ区間７に沿って案内され、往復（振動）駆動される。図１から判るように、それぞれ２個の綴じヘッドによって形成された綴じ装置９の駆動はクランク駆動装置１３によって行われる。このクランク駆動装置は図示のリンク１４を介して綴じキャリッジ１１に連結されている。クランク駆動装置１３の図示位置では、綴じキャリッジ１１は、搬送路２の印刷製品５の搬送速度に一致する最高速度で移動し、続いてクランク位置の連続的な変化によって減速する。キャリッジの端位置でこの減速が終わり、加速が開始される。減速に移行するこの加速の際に、綴じキャリッジ１１は出発位置へ戻り始める。ここで、綴じキャリッジ１１の綴じサイクルまたは綴じ運動が印刷製品５の搬送速度まで新たに加速することによって開始される。他の綴じステーション２０はその綴じ装置１９がそれに付設された綴じキャリッジ２１と連結装置１５または連結棒を介して綴じステーション１０の綴じ装置９に連結されている。この他の綴じステーション２０を搬送路２の綴じ区間７に配置したことにより、綴じステーション１０，２０の綴じ装置９，１９の綴じ出力はその作用をやさしくするように低減させることができ、その際丁合い綴じ機１の出力に悪影響を与えない。すなわち、各々の綴じ装置９，１９は印刷製品５を２個ずつ綴じ、Ａで示した印刷製品は綴じステーション１０の綴じ装置９によって綴じられ、Ａ′で示した印刷製品５は綴じステーション２０の綴じ装置１９によって綴じられる。それによって、綴じ装置９，１９で行われる綴じ針の準備と綴じ自体（＝綴じサイクル）を従来よりも長い時間で行うことができ、従って当該の機械部分の応力と綴じ装置の摩耗の発生が非常に小さくなる。
【０００７】
勿論、この配置構造は連結された２個のクランク駆動装置１３の使用も可能にする。この場合、連結装置１５を用いず、クランク装置がそれぞれ綴じ装置９，１９に作用する。
更に、図において１６は綴じられた印刷製品５の綴じ針を示している。
図２には丁合い綴じ機１の他の実施の形態が示してある。この実施の形態は図１の搬送路の複数の綴じステーションの原理に従って、丁合い綴じ機の形成の他の大幅な改良を可能にする。
【０００８】
図１と異なり、図２の実施の形態の場合には、綴じ区間７にある２つの綴じステーション１０，２０の綴じ装置９，１９が、その移動に関して搬送路２に沿って反対方向に往復駆動され、綴じに関して交互に駆動される。すなわち、一方の綴じ装置９は、他方の綴じ装置１９が出発位置に戻っているときに、綴じストローク運動を行う。従って、綴じ装置の可動質量の釣り合いが生じる。これに関して、綴じキャリッジ１１，２１と綴じ装置９，１９に付けられた矢印はこの経緯を示している。続いて綴じ装置９が印刷製品Ａを綴じる間、綴じ装置１９は搬送方向Ｆと反対方向に出発位置に移動する。それによって、その後綴じ装置１９の下に来る印刷製品Ａ′と同じ移動方向に向きを変えることができる。図２では更に、１個のクランク装置が設けられ、このクランク装置は同一の２個のクランク駆動装置１３，１７からなり、このクランク駆動装置はそれぞれリンク１４を介して綴じ装置１０，２０の綴じキャリッジ１１，２１に連結されている。
【０００９】
図３には、クランク駆動装置の代わりの駆動装置の変形例が示してある。回転駆動される無端の制御軌道２３によって動かされるレバー装置１８は搬送方向Ｆにおいて前側にある図１の綴じ装置９に連結されている。
図２に示す実施の形態の場合には、綴じ装置９，１９を搬送路２で反対方向に往復駆動するために、位相をずらして駆動される２個の制御軌道２３が必要である。
【図面の簡単な説明】
【図１】  搬送路に設けられた２個の綴じステーションを備えた丁合い綴じ機の概略図である。
【図２】  他の実施の形態を示す図である。
【図３】  綴じステーションの綴じ装置のための駆動装置を示す部分図である。
【符号の説明】
１                      丁合い綴じ機
２                      搬送路
３                      丁合い区間
５                      印刷製品
６                      駆動手段
７                      綴じ区間
９，１９                綴じ装置
１０，２０              綴じステーション
１３，１７              クランク駆動装置
１６                    綴じ針
【図１】
0003892918.tif 000002
【図２】
0003892918.tif 000003
【図３】
0003892918.tif 000004